(57)【要約】      （修正有）【課題】空気清浄モード及び冷暖房モードの吐出風量をそれぞれ独立的に可変できる風量可変装置を備える空気調和機を提供する。【解決手段】風量可変装置を備える空気調和機を開示する。空気調和機は、空気が吐出されるメイン吐出口を備える室内機本体と、メイン吐出口に吐出空気を送風する送風機と、冷房又は暖房モードの第１吐出風量と独立的に空気清浄モードの第２吐出風量を制御するコントローラーとを含んで構成され、第２吐出風量の可変範囲は第１吐出風量の可変範囲と異なる。【選択図】図２
2022003300.tif 000002
【特許請求の範囲】
【請求項１】
空気が吐出されるメイン吐出口を備える室内機本体；
前記室内機本体内に設けられ、前記メイン吐出口に吐出空気を送風する送風機；及び
冷房又は暖房モードの第１吐出風量と独立的に空気清浄モードの第２吐出風量を制御するコントローラー；を含み、
前記第２吐出風量の可変範囲は前記第１吐出風量の可変範囲と異なることを特徴とする空気調和機。
【請求項２】
前記送風機のモーターは、前記コントローラーと接続された複数の制御線を含み、
前記複数の制御線のうちの第１グループは、前記第１吐出風量の制御信号の受信のために割り当てられ、
前記複数の制御線のうちの第２グループは、前記第２吐出風量の制御信号の受信のために割り当てられ、
前記複数の制御線のうちの一部は、前記第１グループ及び前記第２グループによって共有され、
前記コントローラーは、前記第２グループの制御線を通じて前記第２吐出風量を可変させ、
前記第２吐出風量の可変範囲の最大値は前記第１吐出風量の可変範囲の最大値より大きいか、前記第２吐出風量の可変範囲の最小値は前記第１吐出風量の可変範囲の最小値より小さいことを特徴とする、請求項１に記載の空気調和機。
【請求項３】
前記室内機本体の一側に形成される前面吸入口パネル；及び
前記前面吸入口パネル又は前記送風機の空気通路に位置し、前記空気通路のサイズを可変させる少なくとも一つの風量可変装置；をさらに含み、
前記コントローラーは、前記風量可変装置を制御することによって前記第２吐出風量を制御し、
前記第２吐出風量の制御段階数は、前記第１吐出風量の制御段階数より多いことを特徴とする、請求項１に記載の空気調和機。
【請求項４】
前記室内機本体のメイン吐出口のサイズより小さいサブ吐出口；及び
前記サブ吐出口に位置して空気通路のサイズを可変させる風量可変装置；をさらに含み、
前記コントローラーは、空気清浄モードが選択されると、前記第２吐出風量が第１吐出風量より減少するときは前記メイン吐出口を閉鎖し、第２吐出風量が第１吐出風量より減少又は増加するときは前記サブ吐出口を開放し、前記風量可変装置を制御することによって、前記サブ吐出口を介して吐出される前記第２吐出風量を制御することを特徴とする、請求項１に記載の空気調和機。
【請求項５】
前記風量可変装置は、
前記メイン吐出口、前記前面吸入口パネル及び前記送風機のうちの少なくとも一つの空気通路を開閉するブレードユニットを含み、
前記ブレードユニットは、
前記吸入口のサイズと同一であるか、前記吸入口のサイズより大きく設けられ、前記吸入口に対して垂直又は水平に配置されるブレード；
前記ブレードの回転軸心を形成する回転シャフトの一端部に結合され、前記ブレードを回転させる動力を提供するステップモーター；及び
前記回転シャフトの他端部に結合され、前記ブレードを回転可能に支持するベアリング；を含むことを特徴とする、請求項３に記載の空気調和機。
【発明の詳細な説明】
【技術分野】
【０００１】
本発明は、空気調和機に関し、より詳細には、空気清浄モードと冷暖房モードの吐出風量を独立的に可変できる風量可変装置を備える空気調和機に関する。
【背景技術】
【０００２】
空気調和機は、室内の空気を冷房或いは暖房させるために使用する空気調節装置である。空気調和機は、壁掛け型、スタンド型、大型、小型など、その種類及び形態は非常に多様である。
【０００３】
空気調和機で冷房モードを選択すると、圧縮機(compressor)で圧縮された冷媒ガスを凝縮器(condenser)で外気と熱交換して液化させた後、膨張バルブ(expansion  valve)を通
じて蒸発器(evaporator)で内気と熱交換して気化させる過程を通じて室内を冷房する。空気調和機の暖房モードは、上記のサイクルが逆に循環されて室内を暖房する。
【０００４】
このように、空気調和機は、冷凍サイクル或いは熱ポンプを備えなければならないので、圧縮機及び凝縮器などを内蔵して冷媒を圧縮及び凝縮させる室外機と、蒸発器などを内蔵して冷媒を気化させることによって室内を冷房させる室内機とに分離構成されることが一般的である。勿論、場合に応じては、室内機と室外機とが一体化された製品もある。
【０００５】
一方、近来に発売開始される空気調和機の場合、単純な冷暖房モードから離れ、空気中の異物を除去するために空気清浄機を室内機に適用した例が多い。
【０００６】
このような空気清浄機は、室内空気に含まれた埃などの異物を除去する一方、冷房運転をしない冬季などにも駆動されることによって快適な室内環境を維持できるようにする。
【０００７】
図１は、従来技術に係る空気清浄機を備えた空気調和機の斜視図である。
【０００８】
この図面を参照すると、従来技術に係る空気調和機の場合、前面パネル１の下側に室内空気を吸入する吸入口２が形成され、上側には熱交換又は浄化された空気を再び室内側に吐出する吐出口３が形成される構造を有する。
【０００９】
吸入口２及び吐出口３には、内部を保護しながら空気は通過できるように、前後や左右又は上下方向に吸入グリル４及び吐出グリル５が設置される。
【００１０】
そして、前面パネル１の中央部には空気清浄機１０が備えられ、室内空気を清浄に浄化できるようにしている。
【００１１】
勿論、図１と異なり、空気清浄機１０が外部に露出しない空気調和機も存在するが、いずれのタイプであっても、従来技術に係る空気調和機の場合は、空気清浄機能、すなわち、空気清浄モードが選択されるとき、室内機の吐出口３（図１参照）から吐出される風量が冷房又は暖房モードの風量に従属して決定されるので、ユーザーの要求に応じて独立的に可変することが不可能であるという問題があり、これを解決するための技術開発が必要な実情にある。
【発明の概要】
【発明が解決しようとする課題】
【００１２】
本発明の目的は、空気清浄モード及び冷暖房モードの吐出風量をそれぞれ独立的に可変できる風量可変装置を備える空気調和機を提供することにある。
【課題を解決するための手段】
【００１３】
上記の技術的課題を達成するための本発明に係る空気調和機の一例は、空気が吐出されるメイン吐出口を備える室内機本体；前記室内機本体内に設けられ、前記メイン吐出口に吐出空気を送風する送風機；及び冷房又は暖房モードの第１吐出風量と独立的に空気清浄モードの第２吐出風量を制御するコントローラー；を含み、前記第２吐出風量の可変範囲は前記第１吐出風量の可変範囲と異なる。
【発明の効果】
【００１４】
本発明によると、空気清浄モードが選択されるとき、吐出風量を冷暖房モードの吐出風量と独立的に可変できる。すなわち、吐出風量をユーザーの要求に応じて冷暖房モードと独立的に可変できるという効果がある。
【００１５】
本発明によると、空気清浄機能を使用しながら、静かな室内環境が要求される場合は、風量可変装置が動作し、吐出風量の減少によって騒音を減少できると共に、迅速に室内空気の清浄が要求される場合は、風量可変装置が動作する前の状態への復帰によって吐出風量を増加できるという効果がある。
【００１６】
特に、本発明の場合、従来の空気調和機の大きな構造変更がなくても、空気清浄時の吐出風量を独立的に可変できるので、使用上の便宜性を大幅に向上できると共に、別途の空気清浄機の購入に伴う費用を節減するという効果がある。
【図面の簡単な説明】
【００１７】
【図１】従来技術に係る空気清浄機が備えられた空気調和機の斜視図である。
【図２】本発明の第１実施例に係る空気調和機の概略的な正面斜視図である。
【図３】前面吸入口パネルの斜視図である。
【図４】ブレードユニットの斜視図である。
【図５】左側の風量可変装置の動作図である。
【図６】左側の風量可変装置の動作図である。
【図７】右側の風量可変装置の動作図である。
【図８】右側の風量可変装置の動作図である。
【図９】送風機に位置した風量可変装置の説明図である。
【図１０】本発明に係る空気調和機の一実施例の構成を示した図である。
【図１１】本発明の第２実施例に係る空気調和機の概略的な正面斜視図である。
【図１２】本発明に係る風量可変装置の変形例である。
【図１３】本発明に係る空気清浄モードの吐出風量制御方法の他の一例を示した図である。
【発明を実施するための形態】
【００１８】
本発明の利点及び特徴、そして、それらを達成する方法は、添付の図面と共に詳細に説明する実施例を参照すれば明確になるだろう。
【００１９】
しかし、本発明は、以下で開示する実施例に限定されるものではなく、互いに異なる多様な形態に具現可能である。
【００２０】
本明細書において、本実施例は、本発明の開示を完全にし、本発明の属する技術分野で通常の知識を有する者に発明の範疇を完全に知らせるために提供されるものである。そして、本発明は、請求項の範疇によって定義されるものに過ぎない。
【００２１】
したがって、いくつかの実施例において、よく知られている構成要素、動作及び技術は、本発明が曖昧に解釈されることを避けるために具体的に説明しない。
【００２２】
明細書全体にわたって同一の参照符号は同一の構成要素を称する。そして、本明細書で使用された（言及された）各用語は、実施例を説明するためのものであって、本発明を制限しようとするものではない。
【００２３】
本明細書において、単数型は、文語句で特別に言及しない限り、複数型も含む。また、「含む（又は、備える）」と言及された構成要素及び動作（作用）は、一つ以上の他の構成要素及び動作の存在又は追加を排除しない。
【００２４】
他の定義がない場合、本明細書で使用される全ての用語（技術及び科学的用語を含む）は、本発明の属する技術分野で通常の知識を有する者に共通的に理解され得る意味で使用可能であろう。
【００２５】
また、一般的に使用される事前に定義されている各用語は、定義されていない限り、理想的に又は過度に解釈されない。
【００２６】
以下、添付の図面を参照して本発明の好ましい実施例を説明する。
【００２７】
図２は、本発明の第１実施例に係る空気調和機の概略的な正面斜視図で、図３は、前面吸入口パネルの斜視図で、図４は、ブレードユニットの斜視図で、図５及び図６は、左側の第１風量可変装置の動作図で、図７及び図８は、右側の第１風量可変装置の動作図で、図９は、送風機領域の風量可変装置の説明図で、図１０は、本発明に係る空気調和機の一実施例の構成を示した図である。
【００２８】
これらの図面を参照すると、本実施例に係る空気調和機１００は、空気清浄モードが選択されるとき、吐出風量を冷房又は暖房モードの吐出風量と独立的に可変できる。言い換えると、ユーザーは、冷房又は暖房モードの第１吐出風量の可変範囲と空気清浄モードの第２吐出風量の可変範囲とを互いに異なるように制御できる。
【００２９】
空気調和機１００は、冷房又は暖房モードの第１吐出風量と空気清浄モードの第２吐出風量とをそれぞれ独立的に制御するために、空気調和機の空気通路のうちの少なくとも１ヶ所以上に風量可変装置を備えたり、送風機モーターの制御線を各モード別に備えてよい。又は、風量可変装置を用いた制御方法と送風機モーターの制御線を用いた制御方法とを組み合わせて空気清浄モードの第２吐出風量を制御できる。まず、図２〜図１０を参照して風量可変装置を用いた制御方法について説明し、図１３を参照して送風機モーターの制御線を用いた制御方法について説明する。
【００３０】
図２〜図１０に示した風量可変装置は、本発明の理解を促進するための一つの例であって、必ずしもこれに限定されるものではなく、風量可変装置は、空気調和機の空気通路（空気吸入通路又は空気排出通路など）のうちの少なくとも１ヶ所以上に具現できる。但し、説明の便宜上、以下では、風量可変装置が前面吸入口パネル１４０、送風口１２５ａ及びサブ吐出口１１２に位置する場合に限定して説明する。
【００３１】
空気調和機１００は、位置別に異なるように設けられる第１風量可変装置１３０ａ、１３０ｂ、第２風量可変装置１７０及び第３風量可変装置１９０を適用することによって、吐出風量が冷房又は暖房モードと独立的に可変できるようにする。
【００３２】
本実施例の場合、３つの位置に第１風量可変装置１３０ａ、１３０ｂ、第２風量可変装置１７０及び第３風量可変装置１９０を適用しているが、風量可変装置が適用される位置及び個数は実施例に応じて多様に変形可能である。例えば、空気調和機は、第１風量可変装置１３０ａ、１３０ｂ、第２風量可変装置１７０及び第３風量可変装置１９０のうちの少なくとも一つの風量可変装置のみを含んで具現できる。
【００３３】
本実施例に係る風量可変装置を備える空気調和機１００は、室内機本体１１０、送風機１２０、前面吸入口パネル１４０、第１風量可変装置１３０ａ、１３０ｂ、第２風量可変装置１７０及び第３風量可変装置１９０を含んでよい。
【００３４】
上述したように、空気調和機１００は、室内機及び室外機を含んでよく、室外機に圧縮機１１７、熱交換器（図示せず）などの構成が設けられ、室内機に熱交換器１１５、送風機１２０、空気浄化フィルター（図示せず）などの構成が設けられてよい。
【００３５】
したがって、図面に示した装置は、空気調和機１００の室内機、特に、スタンド型室内機に該当し得る。
【００３６】
しかし、本発明の権利範囲がこれに制限されることはない。例えば、本実施例の空気調和機１００は、図示したように、スタンド型室内機に限定される必要はなく、室内外の一体型であるか、壁掛け型、天井型にも適用可能である。
【００３７】
室内機本体１１０は、本実施例に係る空気調和機１００の外観をなす。室内機本体１１０は、内部に多くの部品が装着される外観キャビネット１１３と組み立てられてよい。
【００３８】
このような室内機本体１１０には、空気（冷風、温風又は浄化された空気）が吐出されるメイン吐出口１１１が設けられる。メイン吐出口１１１にはルーバーが設けられ、これによってメイン吐出口１１１を開閉することができる。
【００３９】
メイン吐出口１１１の周辺にはサブ吐出口１１２が設けられ、メイン吐出口１１１内には送風機１２０が備えられる。そして、メイン吐出口１１１の下部領域には、外部空気を室内機本体１１０内に案内する前面吸入口パネル１４０が備えられる。
【００４０】
一例として、吐出風量を独立的に可変させる風量可変装置は３ヶ所に設けられてよい。すなわち、前面吸入口パネル１４０領域に第１風量可変装置１３０ａ、１３０ｂが設けられてよく、送風機１２０領域に第２風量可変装置１７０が設けられてよく、サブ吐出口１１２領域に第３風量可変装置１９０が設けられてよい。各装置の構造は実質的に同一であってよい。
【００４１】
これらの第１風量可変装置１３０ａ、１３０ｂ、第２風量可変装置１７０及び第３風量可変装置１９０は、それぞれ該当位置で独立的に駆動されながら、吐出風量が従前のように冷房又は暖房機能に従属せずに独立的に可変できるようにする。
【００４２】
まず、前面吸入口パネル１４０領域に設けられる第１風量可変装置１３０ａ、１３０ｂについて説明する。
【００４３】
前面吸入口パネル１４０の両側面には吸入口１４１ａ、１４１ｂがそれぞれ形成される。吸入口１４１ａ、１４１ｂはホール（hole）の形を取り、位置に応じて左側吸入口１４１ａと右側吸入口１４１ｂとに分けられる。
【００４４】
このような左側及び右側吸入口１４１ａ、１４１ｂには、それぞれ左側の第１風量可変装置１３０ａ（図５及び図６参照）と、右側の第１風量可変装置１３０ｂ（図７及び図８参照）とが設けられてよい。左側及び右側の第１風量可変装置１３０ａ、１３０ｂは、その配置角度が異なるだけで、構造及び機能は全て同一である。
【００４５】
左側の第１風量可変装置１３０ａ（図５及び図６参照）は、前面吸入口パネル１４０の左側吸入口１４１ａ領域に結合され、ブレード１５１の回転によって左側吸入口１４１ａを開閉する。
【００４６】
同様に、右側の第１風量可変装置１３０ｂ（図７及び図８参照）は、前面吸入口パネル１４０の右側吸入口１４１ｂ領域に結合され、ブレード１５１の回転によって右側吸入口１４１ｂを開閉する。
【００４７】
このような左側及び右側の第１風量可変装置１３０ａ、１３０ｂは、前面吸入口パネル１４０に結合される装置フレーム１３１、装置フレーム１３１の一側開口１３２領域に結合されるフィルター支持具１３３、及び装置フレーム１３１に結合されて吸入口１４１ａ、１４１ｂを開閉するブレードユニット１５０を含む。
【００４８】
フィルター支持具１３３にはプリフィルター１３５が装着され、室内機本体１１０内に流入する空気中の異物をろ過する役割をする。図示したフィルター支持具１３３は一つの例に過ぎないので、必ずしもフィルター支持具１３３が使用される必要はない。すなわち、他の形態でプリフィルター１３５を支持しても大きな問題はない。
【００４９】
本実施例において、フィルター支持具１３３はレールタイプで適用されてよい。すなわち、フィルター支持具１３３は、プリフィルター１３５が挿入されるレール挿入部１３３ｂを備える支持具ボディー１３３ａを含んでよい。
【００５０】
一方、ブレードユニット１５０は、装置フレーム１３１の一側に結合されてよく、入力部１８５の空気清浄モードの動作時、左側及び右側吸入口１４１ａ、１４１ｂの開口を選択的に遮蔽し、空気清浄のための風量を可変させる役割をする。
【００５１】
本実施例に適用されるブレードユニット１５０は、吸入口１４１ａ、１４１ｂのサイズと同一であるか、前記吸入口１４１ａ、１４１ｂのサイズより大きく設けられ、吸入口１４１ａ、１４１ｂに対して垂直又は水平に配置されるブレード１５１と、ブレード１５１の回転軸心を形成する回転シャフト１５２の一端部に結合され、ブレード１５１を回転させる動力を提供するステップモーター１５３と、回転シャフト１５２の他端部に結合され、ブレード１５１を回転可能に支持するベアリング１５４とを含む。
【００５２】
このとき、コントローラー１８０の制御により、ステップモーター１５３は、ブレード１５１を図５〜図８に示すように９０度だけ回転できる。すなわち、ブレード１５１が吸入口１４１ａ、１４１ｂに対して垂直になるように、或いはブレード１５１が吸入口１４１ａ、１４１ｂと並んで水平になるように、コントローラー１８０の制御によってステップモーター１５３がブレード１５１を回転できる。
【００５３】
このとき、ブレード１５１の回転シャフト１５２は、ブレード１５１の断面中心から一側に偏心した位置に配置されてよい。
【００５４】
次に、送風機１２０領域に設けられる第２風量可変装置１７０について説明する。
【００５５】
第２風量可変装置１７０は、上述した第１風量可変装置１３０ａ、１３０ｂとは異なる位置である送風機１２０領域に設けられ、第１風量可変装置１３０ａ、１３０ｂとは関係なく、別途に独立的に駆動されながら送風機１２０から吐出される吐出風量を可変させる役割をする。
【００５６】
このような第２風量可変装置１７０は、図７に示したように、送風機１２０の外観を形成する送風機ハウジング１２５の内部に設置される送風口用ブレード１７１を備えており、送風口用ブレード１７１が既に設定された角度範囲内で回転しながら送風機１２０から送風機ハウジング１２５の送風口１２５ａに吐出される吐出風量を可変させる役割をする。
【００５７】
本実施例において、第２風量可変装置１７０は、上述したブレードユニット１５０と実質的に同一である。すなわち、第２風量可変装置１７０は、送風機１２０の外観を形成する送風機ハウジング１２５の内部で送風口１２５ａに隣り合って設置される送風口用ブレード１７１と、送風口用ブレード１７１の回転軸１７２に結合され、送風口用ブレード１７１の回転軸１７２を回転させる動力を提供する送風口用ステップモーター１７３と、回転軸１７２の反対側を回転可能に支持する送風口用ベアリング１７４とを含む。送風口用ステップモーター１７３は、外観キャビネット１１３に備えられたブラケットＢに支持されてよい。
【００５８】
そこで、コントローラー１８０が入力部１８５の入力信号に基づいて送風口用ステップモーター１７３の動作を制御することによって、送風口用ステップモーター１７３によって送風口用ブレード１７１が既に設定された角度範囲内で回転しながら送風口１２５ａの開口を開閉することができる。
【００５９】
参考までに、本実施例の場合、送風機１２０が熱交換器１１５の上部に配置されるが、熱交換器１１５の下部に配置されてもよく、このような全ての事項は、本発明の権利範囲に属するものと言うべきであろう。
【００６０】
最後に、サブ吐出口１１２に設けられる第３風量可変装置１９０について説明する。
【００６１】
詳細には図示していないが、第３風量可変装置１９０は、上述した第１風量可変装置１３０ａ、１３０ｂ及び第２風量可変装置１７０とは異なる位置であるサブ吐出口１１２領域に設けられ、第１風量可変装置１３０ａ、１３０ｂ及び第２風量可変装置１７０とは関係なく、別途に独立的に駆動されながらサブ吐出口１１２から吐出される吐出風量を可変させる役割をする。
【００６２】
第３風量可変装置１９０により、サブ吐出口１１２はメイン吐出口１１１と別個に清浄空気を吐出させることができる。
【００６３】
言い換えると、空気清浄モードにおいて、サブ吐出口１１２は、吐出風量を可変させるときのみに開放され、清浄空気を吐出させる役割をする。このとき、コントローラー１８０により、メイン吐出口１１１は既に設定された判断条件によって閉鎖の有無が決定され、室外機の圧縮機１１７の動作が停止される。例えば、空気清浄モードにおいて、吐出風量の制御段階数が下記の表１のように５段階である場合、コントローラー１８０は、吐出風量が冷房又は暖房モードであるときより減少するときにのみメイン吐出口１１１を閉鎖し、同一であるか増加するときは開放する。
【００６４】
参考までに、第３風量可変装置１９０がメイン吐出口１１１領域に結合されてもよいが、第３風量可変装置１９０は上述した第２風量可変装置１７０の構造と同一であるので、便宜上、図示は省略する。
【００６５】
コントローラー１８０は、入力部１８５、例えば、リモコンなどに適用可能な入力部１８５の入力信号に基づいて第１風量可変装置１３０ａ、１３０ｂ、第２風量可変装置１７０及び第３風量可変装置１９０の動作を個別的に制御する。
【００６６】
コントローラー１８０は、第１〜第３風量可変装置１３０ａ、１３０ｂ、１７０、１９０のうちの少なくとも一つを用いて、冷房又は暖房モードと独立的に空気清浄モードの吐出風量を制御できる。表１は、空気清浄モードの吐出風量を０ｍ３／ｍｉｎ〜１５ｍ３／ｍｉｎ（ＣＭＭ）の可変範囲内で制御するための第１〜第３風量可変装置１３０ａ、１３０ｂ、１７０、１９０の制御値の一例である。表１は、本発明の理解を促進するための一つの例に過ぎなく、各風量可変装置の制御角度などは実施例に応じて多様に変形設計可能である。
【００６７】
【表１】
2022003300.tif 000003
【００６８】
例えば、入力部１８５のボタンを通じて空気清浄モードが入力されるとき、特に、静かな静音モードを進めるために吐出風量が減少するとき、コントローラー１８０は、圧縮機１１７の動作を停止させ、メイン吐出口１１１を閉鎖し、サブ吐出口１１２のみを開放して清浄空気を吐出させるようにコントロールできる。
【００６９】
他の例において、冷房又は暖房モードにおける吐出風量の制御段階数が３個である場合、空気清浄モードでは制御段階数をそれより多くしてよい。言い換えると、冷房又は暖房モードにおいてモーターの回転速度を３段階に制御し、吐出風量を３段階に制御するとする場合、空気清浄モードにおいても、モーターの回転速度は、冷房又は暖房モードと同様に３段階にのみ制御できる。この場合にも、本実施例は、風量可変装置を通じて、空気清浄モードの吐出風量の制御を３段階ではなく、表１のように５段階に具現できる。
【００７０】
他の例において、空気清浄モードの吐出風量が冷房又は暖房モードの吐出風量と同一である場合は、第１〜第３風量可変装置は動作せず、メイン吐出口は開放される。その反対に、空気清浄モードの吐出風量が冷房又は暖房モードの吐出風量と異なるように制御される場合は、サブ吐出口１１２（すなわち、第３風量可変装置）を開放する。
【００７１】
すなわち、冷房又は暖房モードにおける送風機モーターの速度と空気清浄モードにおける送風機モーターの速度とが同一である場合にも、コントローラーは、第１〜第３風量可変装置１３０ａ、１３０ｂ、１７０、１９０のうちの少なくとも一つを制御し、冷房又は暖房モードの第１吐出風量と異なる第２吐出風量を空気清浄モードで出力させることができる。
【００７２】
コントローラー１８０は、中央処理装置１８１、メモリ１８２及びサポート回路１８３を含んでよい。
【００７３】
中央処理装置１８１は、本実施例において、入力部１８５の入力信号に基づいて第１風量可変装置１３０ａ、１３０ｂ、第２風量可変装置１７０及び第３風量可変装置１９０の動作を個別的にコントロールするために産業的に適用可能な多様なコンピュータープロセッサのうちの一つであってよい。
【００７４】
メモリ１８２は中央処理装置１８１と接続される。メモリ１８２は、コンピューターで読み取り可能な記録媒体としてローカル又は遠隔地に設置されてよく、例えば、ランダムアクセスメモリ（ＲＡＭ）、ＲＯＭ、フロッピーディスク、ハードディスク又は任意のデジタル格納形態のように容易に利用可能な少なくとも一つ以上のメモリである。
【００７５】
サポート回路１８３は中央処理装置１８１と結合され、プロセッサの典型的な動作を支援する。このようなサポート回路１８３は、キャッシュ、電源、クロック回路、入／出力回路、サブシステムなどを含んでよい。
【００７６】
本実施例において、コントローラー１８０は、入力部１８５の入力信号に基づいて第１風量可変装置１３０ａ、１３０ｂ、第２風量可変装置１７０及び第３風量可変装置１９０の動作を個別的にコントロールする。このとき、コントローラー１８０が入力部１８５の入力信号に基づいて第１風量可変装置１３０ａ、１３０ｂ、第２風量可変装置１７０及び第３風量可変装置１９０の動作を個別的にコントロールする一連のプロセスなどはメモリ１８２に格納されてよい。典型的には、ソフトウェアルーチンがメモリ１８２に格納されてよい。また、ソフトウェアルーチンは、他の中央処理装置（図示せず）によって格納又は実行されてよい。
【００７７】
本発明に係るプロセスは、ソフトウェアルーチンによって実行されるものと説明したが、本発明の各プロセスのうちの少なくとも一部はハードウェアによって行われることも可能である。このように、本発明の各プロセスは、コンピューターシステム上で行われるソフトウェアで具現されたり、集積回路のようなハードウェアで具現されたり、又はソフトウェアとハードウェアとの組合せによって具現され得る。
【００７８】
以上説明した構造及び作用を有する本実施例によると、空気清浄モードが選択されるとき、吐出風量が従前のように冷房又は暖房機能に従属せずに独立的に可変でき、これにより、吐出風量をユーザーの要求に応じて独立的に可変できるようになる。
【００７９】
特に、本実施例の場合、大きな構造変更がなくても、空気清浄時の吐出風量を独立的に可変できるので、使用上の便宜性を大幅に向上できると共に、別途の空気清浄機を購入しなければならないロス（ｌｏｓｓ）の発生を著しく減少できるようになる。
【００８０】
図１１は、本発明の第２実施例に係る空気調和機の概略的な正面斜視図である。
【００８１】
本実施例に係る空気調和機２００も、上述した実施例の空気調和機１００と同一の構造を有する。
【００８２】
但し、本実施例の場合、室内機本体２１０に設けられるメイン吐出口２１１が、上述した実施例とは異なって両側に配置されることを除いては、上述した実施例の空気調和機１００と構造及び機能が全て同一である。
【００８３】
本実施例が適用されるとしても、空気清浄モードが選択されるとき、吐出風量が従前のように冷房又は暖房機能に従属せずに独立的に可変でき、これにより、吐出風量をユーザーの要求に応じて独立的に可変できるという効果を提供することができる。
【００８４】
図１２は、風量可変装置の変形例である。
【００８５】
この図面を参照すると、ブレードユニット３５０も、吸入口１４１ａ、１４１ｂ（図３参照）に対して垂直又は水平に配置されるブレード３５１と、ブレード３５１の回転軸心を形成する回転シャフト３５２の一端部に結合され、ブレード３５１を回転させる動力を提供するステップモーター３５３と、回転シャフト３５２の他端部に結合され、ブレード３５１を回転可能に支持するベアリング３５４とを含む。
【００８６】
このような構造において、ブレード３５１は、面積が自動的に調節される多数のスライドユニット板３５１ａ、３５１ｂを含む。
【００８７】
本実施例のように、ブレード３５１が多数のスライドユニット板３５１ａ、３５１ｂに適用される場合、吸入口１４１ａ、１４１ｂのサイズに対応できるだけでなく、吸入口１４１ａ、１４１ｂの開口面積をより微細に調節できるという点で多くの利点を提供可能である。
【００８８】
このような構造の風量可変装置３５０が適用されるとしても、空気清浄モードが選択されるとき、吐出風量が従前のように冷房又は暖房機能に従属せずに独立的に可変でき、これにより、吐出風量をユーザーの要求に応じて独立的に可変できる。
【００８９】
図１３は、本発明に係る空気清浄モードの吐出風量制御方法の他の一例を示した図である。
【００９０】
図１３を参照すると、送風機１２０の送風機モーター１３００は、複数個の制御線を介してコントローラーから制御信号を受信する。コントローラーは、複数個の制御線のうちの第１グループ１３１０の制御線は冷房又は暖房モードの第１吐出風量の制御のために使用し、複数個の制御線のうちの第２グループ１３２０の制御線は空気清浄モードの第２吐出風量の制御のために使用する。第１グループ１３１０の制御線と第２グループ１３２０の制御線の一部は互いに共有される。本実施例において、空気清浄モードの第２吐出風量の制御のために、コントローラー１８０は、第１グループ１３１０の全ての制御線、及び２個の制御線をさらに含む第２グループ１３２０の制御線を用いる。
【００９１】
送風機モーター１３００は、第２グループ１３２０の各制御線を介して受信される制御信号に応じてモーター速度を増減し、送風機１２０を介して出力される吐出風量を変化させる。例えば、表２のようにモーター速度が制御される。
【００９２】
【表２】
2022003300.tif 000004
【００９３】
例えば、冷房又は暖房モードの第１吐出風量が５ｍ３／ｍｉｎ〜１０ｍ３／ｍｉｎ（ＣＭＭ）の可変範囲内でモーター速度によって３段階（Ａ、Ｂ、Ｃ）に区分されるが、コントローラー１８０は、空気清浄モードの第２吐出風量の可変範囲を、第１吐出風量の可変範囲と異なる３ｍ３／ｍｉｎ〜１５ｍ３／ｍｉｎ （ＣＭＭ）の可変範囲内でモーター速
度によって５段階（Ｓ、Ａ、Ｂ、Ｃ、Ｌ）に区分して制御できる。言い換えると、空気清浄モードにおける第２吐出風量の最大値は、冷房又は暖房モードの第１吐出風量の最大値より大きく制御でき、また、第２吐出風量の最小値は、冷房又は暖房モードの第１吐出風量の最小値より小さく制御できる。
【００９４】
図２〜図１０を参照して説明した風量可変装置１３０ａ、１３０ｂ、１７０、１９０のみを用いる場合、モーターの速度は冷暖房モードと空気清浄モードにおいて互いに同一であるので、空気清浄モードの吐出風量を冷暖房モードの最大吐出風量より大きくできないが、本実施例は、モードに応じてモーター速度を互いに異なるように制御することによって、吐出風量の可変範囲を互いに異ならせることができる。
【００９５】
他の実施例において、図２〜図１０を参照して説明した風量可変装置１３０ａ、１３０ｂ、１７０、１９０と図１３のモーター速度制御方法を共に適用し、空気清浄モードの吐出風量の可変範囲及び制御段階をさらに細分化できる。例えば、表２において、空気清浄モードのモーター速度がＳ段階であるとき、図２〜図１０を参照して説明した風量可変装置１３０ａ、１３０ｂ、１７０、１９０を制御し、空気清浄モードの吐出風量をモーター速度Ｓ段階とＡ段階との間のモーター速度による吐出風量のように制御できる。また、風量可変装置１３０ａ、１３０ｂ、１７０、１９０を制御し、空気清浄モードの吐出風量をモーター速度Ｌによる吐出風量より小さく制御することもできる。
【００９６】
このように、本発明は、上述した実施例に限定されるものではなく、本発明の思想及び範囲を逸脱しない範囲で多様に修正及び変形可能であることは、この技術分野で通常の知識を有する者にとって自明である。したがって、そのような修正例又は変形例は、本発明の特許請求の範囲に属するものと言うべきである。
【図１】
2022003300.tif 000005
【図２】
2022003300.tif 000006
【図３】
2022003300.tif 000007
【図４】
2022003300.tif 000008
【図５】
2022003300.tif 000009
【図６】
2022003300.tif 000010
【図７】
2022003300.tif 000011
【図８】
2022003300.tif 000012
【図９】
2022003300.tif 000013
【図１０】
2022003300.tif 000014
【図１１】
2022003300.tif 000015
【図１２】
2022003300.tif 000016
【図１３】
2022003300.tif 000017
【手続補正書】
【提出日】令和3年10月6日(2021.10.6)
【手続補正１】
【補正対象書類名】特許請求の範囲
【補正対象項目名】全文
【補正方法】変更
【補正の内容】
【特許請求の範囲】
【請求項１】
空気調節機において、
空気を排出させるように構成されたメイン吐出口と、
空気を排出させるように構成され、前記メイン吐出口のサイズより小さいサブ吐出口と、
前記メイン吐出口に流れる風量を変更するように構成されたブレードユニットと、
空気清浄モードと冷房または暖房モードとの双方において前記メイン吐出口と前記サブ吐出口とに空気を送風するように構成された送風機と、
前記送風機と前記メイン吐出口を開閉させる前記ブレードユニットとを制御するコントローラと、
を備え、
前記コントローラは、前記空気清浄モードまたは前記冷房または暖房モードにおいて、静音が要求されるとき、前記サブ吐出口から空気を排出させるように、前記送風機を駆動させ、前記ブレードユニットを制御して前記メイン吐出口を閉鎖するように構成されている、空気調和機。
【請求項２】
前記冷房または暖房モードで冷媒ガスを圧縮させる圧縮機をさらに備え、
前記コントローラは、前記空気清浄モードにおいて、静音が要求されるとき、前記メイン吐出口を閉鎖するとともに、前記圧縮機の動作を停止させるように構成されている、請求項１に記載の空気調和機。
【請求項３】
前記空気清浄モードまたは前記冷房または暖房モードを選択するための入力信号を生成するように構成されたリモコンをさらに備えている、請求項１に記載の空気調和機。